(57)【要約】【課題】従来のパチンコ玉の洗浄装置では困難であったプラスチック、細菌・真菌などの汚れを効率良く除去する装置を提供する。【解決手段】パチンコ遊技場のパチンコ玉循環供給装置内に設置されるパチンコ玉洗浄装置であって、パチンコ玉表面の有機物を分解しかつ殺菌するための紫外線照射機構１００と、前記紫外線照射機構の中、前段または後段に設置され、パチンコ玉を剛体に接触させてパチンコ玉表面の付着物を研磨する機構２００と、該研磨機構の近傍に配置され、物理研磨で除去された付着物を回収する集塵機構３００とを具備するパチンコ玉洗浄装置。【選択図】図１
2005080807.tif 000002
【特許請求の範囲】
【請求項１】
パチンコ遊技場のパチンコ玉循環供給装置内に設置されるパチンコ玉洗浄装置であって、パチンコ玉表面の有機物を分解しかつ殺菌するための紫外線照射機構と、前記紫外線照射機構の中、前段または後段に設置され、パチンコ玉を剛体に接触させてパチンコ玉表面の付着物を研磨する機構と、該研磨機構の近傍に配置され、物理研磨で除去された付着物を回収する集塵機構とを具備するパチンコ玉洗浄装置。
【請求項２】
前記研磨機構は、搬送途中のパチンコ玉が自由落下できる落下塔からなり、該落下塔の内壁にパチンコ玉の自由落下の障害となる突起片が付設されたことを特徴とする、請求項１に記載のパチンコ玉洗浄装置。
【請求項３】
前記紫外線照射機構は、パチンコ玉を揚送するためのチェーン搬送ユニットを具備する、請求項１または２に記載のパチンコ玉洗浄装置。
【請求項４】
前記紫外線照射機構は、パチンコ玉を揚送するためのスクリュー搬送ユニットを具備する、請求項１または２に記載のパチンコ玉洗浄装置。
【請求項５】
前記スクリュー搬送ユニットは、パチンコ玉の研磨機能も有することを特徴とする、請求項４に記載のパチンコ玉洗浄装置。
【請求項６】
前記パチンコ玉循環供給装置の揚送装置内に設置されていることを特徴とする、請求項１〜５のいずれか一項に記載のパチンコ玉洗浄装置。
【発明の詳細な説明】
【技術分野】
【０００１】
本発明は、パチンコ遊技場内で循環送給されるパチンコ玉を、その送給途中でドライ洗浄するのに適したパチンコ玉洗浄装置に関する。
【背景技術】
【０００２】
パチンコ遊技場の従来のパチンコ玉循環供給装置は、図８に示すように、パチンコ台403で使用されたパチンコ玉2が、複数のパチンコ台から構成される島401単位で下部のドブ（送球路）に集められ、次いで揚送装置404を通って補給タンク405に送られ、さらに補給タンクから自然傾斜を持たせたトヨ402に流下して、再びパチンコ台403の貯留タンクに供給されるようになっている。しかし、パチンコ玉は、再使用を繰り返すうちに、さまざまな汚れが付着、堆積し、遊戯者の手が汚れる、パチンコ台盤面が汚れる、パチンコ玉の流れを滞らせるなどの問題を引き起こす。
【０００３】
パチンコ玉の汚れ除去対策として、パチンコ玉循環供給装置にはパチンコ玉洗浄装置が付設されている。前記揚送装置にパチンコ玉を研磨する機構が付加されたものが一般的である。研磨は、揚送途中のパチンコ玉を布ベルトに押し付けるようにした布研磨方式や、パチンコ玉をプラスチック製ビーズ材で磨くようにしたポリ研磨方式といった物理的研磨である。これらの方式は、パチンコ玉の汚れ成分が人の皮脂やタバコのニコチン・タール成分といった比較的緩やかに付着するものを想定している。
【発明の開示】
【発明が解決しようとする課題】
【０００４】
上記の物理的研磨方式は一定の洗浄能力があるものの、パチンコ玉自体の清浄度は満足ゆくレベルにない。それは、表面の化学分析で相当量の汚れが検出されること、長時間の遊戯により遊戯者の手が汚れること、パチンコ台盤面のパチンコ玉の軌跡が汚れてくることなどからも明らかである。
【０００５】
現行の洗浄装置の洗浄結果が十分でない理由として、パチンコ玉表面の汚れの原因を特定せず、汚れを目に見える成分に想定した形で現行システムを履行していることに一因がある。本発明者によるパチンコ玉表面の汚れの化学分析によれば、汚れには現行の洗浄装置が対象としている人の皮脂やタバコのニコチン・タール成分の他に、ポリエステル、ポリアミド、ポリスチレン、アクリル樹脂、ポリカーボネート樹脂などのプラスチック成分が多く含まれ、また、塗料の原料であるTiO２、アミン系硬化剤、その他顔料なども含まれていることが判明した。これらのプラスチック成分は、布研磨やポリ研磨の素材そのものであったり、パチンコ台などの構造物に使われる材質であったりする。しかし、プラスチック系の汚れ成分は、現行の物理的研磨方式では除去できない。
【０００６】
パチンコ遊技場は、不特定多数の人間が頻繁に出入りし、長時間遊戯することにより、遊戯中にトイレを利用し、外部から病原菌を持ち込むなどして、衛生的に良い環境といえない。こうした環境の中、パチンコ玉に不特定多数の人間が接触するため、パチンコ玉は細菌や真菌類（カビ）の繁殖の下地や感染の媒体となりうる。しかし、現行の洗浄装置は、パチンコ玉表面に付着した細菌や真菌類の殺菌洗浄を目的としたものではない。最近、細菌やウイルスが大量に蔓延しても、対策が容易には見つからない事例が発生しており、今後のパチンコ玉洗浄装置には、殺菌能力を有するものも望まれる。
【０００７】
本発明の目的は、人の皮脂、タバコの煙などの従来想定していた汚れ成分の他に、プラスチック系の汚れ成分を除去することにより、パチンコ玉の清浄度を高め、しかも、殺菌力の高い洗浄装置を提供することにある。
【課題を解決するための手段】
【０００８】
上記課題を鋭意検討した結果、パチンコ玉に付着するあらゆる汚れは、一定の化学作用を利用する洗浄と物理的研磨による洗浄とを採用することによって除去できることを見出した。すなわち、本発明は、パチンコ遊技場のパチンコ玉循環供給装置内に設置されるパチンコ玉洗浄装置であって、パチンコ玉表面の有機物を分解しかつ殺菌するための紫外線照射機構と、前記紫外線照射機構の中、前段または後段に設置され、パチンコ玉を剛体に接触させてパチンコ玉表面の付着物を研磨する機構と、該研磨機構の近傍に配置され、研磨で除去された付着物を回収する集塵機構とを具備するパチンコ玉洗浄装置である。
【０００９】
前記「有機物」とは、パチンコ玉に付着した物理的研磨方式では取れ難いプラスチック系の汚れを含む意味であり、一方、前記「付着物」とは、紫外線照射機構では取れ難い比較的大きな有機物や無機物を意味する。
【００１０】
有機物や付着物を種類でいうと、人の皮脂；機械油；タバコのニコチン・タール成分；ポリエステル、ポリアミド、アクリル樹脂、ポリカーボネート樹脂、ポリオレフィン、ポリ塩化ビニルなどのプラスチック；大腸菌、ビブリオ菌、レジオネラ菌のような細菌、ウイルス、真菌（カビ）などの微生物；ならびに硫化メチル、二硫化メチル、メチメルカプタン、プロピオン酸、トリメチルアミンなどの臭気成分を意味する。
【００１１】
前記研磨機構は、搬送途中のパチンコ玉が自由落下できる落下塔からなり、該落下塔の内壁にパチンコ玉の自由落下の障害となる突起片が付設されることが好ましい。また、前記紫外線照射機構は、例えばパチンコ玉を揚送するチェーン搬送ユニットやパチンコ玉を揚送するためのスクリュー搬送ユニットを具備する。
【００１２】
紫外線照射機構の中、前段または後段に設置され、パチンコ玉を剛体に接触させてパチンコ玉に衝撃を与えてパチンコ玉表面の付着物を研磨する機能は、一種の物理研磨機構に属するが、従来の布研磨やポリ研磨方式とは異なる。従来の物理研磨方式は、布ベルト、ビーズ材などの比較的ソフトな部材にパチンコ玉を摺動または転動させることより研磨するものである。一方、本発明の研磨機構はパチンコ玉を、他のパチンコ玉、障壁のような剛体に衝突または接触させて研磨するものである。該研磨機構は、例えば搬送途中のパチンコ玉が自由落下できる落下塔を有し、該落下塔内壁にパチンコ玉の自由落下の障害となる突起片を付設することや、パチンコ玉のスクリュー搬送ユニット自体の研磨機能によって達成される。
【００１３】
本発明の洗浄装置は、複数台のパチンコ台を並置し、そのほぼ中央部にパチンコ玉を上部の補給タンクに揚送し、補給タンクからトヨを通って各パチンコ台へパチンコ玉を補給する揚送装置を含むパチンコ玉循環供給装置において、当該揚送装置内に設置することが好ましい。
【発明の効果】
【００１４】
本洗浄装置の紫外線照射機構により発せられる紫外線は、有機物を光分解する。さらに、本装置によって紫外線の照射されたパチンコ玉近傍では、オゾンが生成され、さらにオゾンの分解によって活性酸素が生成され、これら分子種がパチンコ玉表面に付着した有機系のあらゆる汚れを酸化分解し、揮散させる。したがって、本発明の洗浄装置を使用すれば、プラスチック成分のような強固に付着した汚れも除去することができる。
【００１５】
さらに、光源によって有機物が除去されたパチンコ玉表面は、表面エネルギーの高い鋼が露出するために親水性が増す。それによって、有機汚れ成分が再付着し難くなる。
【００１６】
プラスチック系の汚れを除去することは、以下の理由からも非常に有益である。パチンコ玉にプラスチック系の汚れが一旦つくと、パチンコ玉の回転や転動によってパチンコ玉の表面が静電気を帯びやすくなる。それによって空気中のほこり、すす、浮遊ゴミ、タバコのニコチン・タール成分、人の皮脂や、パチンコ遊技場内の建材、パチンコ玉の補給経路用部品、パチンコ台の部品などから剥がれ落ちた汚れ成分のパチンコ玉表面への吸着が助長される。特に、この静電気により空気中の炭素成分がパチンコ玉表面に付着したプラスチック成分に吸い付けられ黒色の汚れ物質となる。これらの汚れが堆積したパチンコ玉は、補給経路のトヨを通過し、パチンコ台内を流れ、ドブに戻り、再び補給されるので、その経路上に有機物およびゴミ成分を運ぶ役目をする。こうして、有機物やゴミは経路上に堆積し、長期の運転においては、パチンコ玉循環経路に黒色プラスチック系塗料を塗布したような状態になる。パチンコ玉盤面の汚れは、見た目にも好ましくないため、パチンコ台の日常的な清掃作業を余儀なくされる。一方、本発明の洗浄装置によれば、パチンコ玉のプラスチック系の汚れを除去するので、上記のような汚染の連鎖を断ち切ることができる。
【００１７】
さらに、本発明の洗浄装置によれば、洗浄されたパチンコ玉が、補給経路のトヨ、パチンコ台内、ドブを循環するうちに、これらに付着、堆積した汚れを再洗浄する。したがって、本装置の長期運転後には、パチンコ台、トヨ、ドブなどのパチンコ関連設備の全体を清浄にすることが可能である。
【００１８】
本洗浄装置には、パチンコ玉表面の有機物の除去の他に、紫外線で分解不可能な比較的大きな汚れ成分や無機物を物理的に除去する手段を設けているので、本発明は幅広い汚れに対応した洗浄システムを構築することができる。
【発明を実施するための最良の形態】
【００１９】
以下、本発明の洗浄装置を、添付の図面を用いて説明する。図１は、本発明の洗浄装置の第１の実施態様を示す側断面図であり、図２は、図１の装置のＡＡ矢視断面図であり、図３は図１の平面図である。第１の実施態様の洗浄装置1は、図１に示すように、第１および第２の紫外線照射機構100A,Bと、両機構に挟まれた研磨機構200とからなる。
【００２０】
図１において、第１の紫外線照射機構100Aは、下側ギア104と上側ギア103との間に巻装されて循環駆動する第１のチェーンベルト102Aと、このチェーンベルトに対向するように立設された第１の光源101Aとを備えた揚送塔111Aからなる。該チェーンベルト102Aには、複数のパチンコ玉受皿105が突設されている。第１チェーンベルト102Aは、上方に設置した第１モータの駆動力がプーリを介して上側ギア103Aに伝達されることにより上送りされる。なお、第１モータを下方に設置して下側ギアを駆動するようにしてもよい。
【００２１】
第1の光源101Aは、波長２４０nm以下と、波長２００〜３００nmとの二つの帯域において紫外線スペクトルを有するものが好ましい。紫外線は、広い波長域において、光化学反応により有機物を分解する作用を有するが、紫外線を利用して得られるオゾンと活性酸素は、有機物を迅速に酸化分解することができる。２４０nm以下のエネルギーの高い紫外線は、空気中の酸素に吸収されやすく、酸素をオゾンに変える光化学作用を有し、一方、２００〜３００nmの比較的波長の長い紫外線は、オゾンに吸収されやすく、オゾンを活性酸素に変える作用を有する。したがって、上記二波長域の紫外線を発生する紫外線照射機構を用いれば、パチンコ玉に付着した有機物系の汚れを効率よく除去することができる。
【００２２】
光源の具体例としては、低圧水銀ランプ、高圧水銀ランプ、メタルハライドランプ、エキシマランプ、パルスドキセノンランプなどのうち、上記波長域の紫外線スペクトルを放出するものである。
【００２３】
低圧水銀ランプは、以下の２点の理由から、本発明の洗浄装置に最適である。オゾン分解のための光吸収の係数は２４０〜２６０nmで最大となるが、低圧水銀ランプの水銀の共鳴線である２５３．７nmの光が最強のスペクトル線である。さらに、低圧水銀ランプは、もう１つの共鳴線１８４．９nmの光を放出しており、この光が空気中の酸素から光化学反応でオゾンを生成させる。よって、低圧水銀ランプは、スペクトル強度の高い１８４．９nmと２５３．７nm線をＵＶ／オゾンの洗浄に活用することができる。
【００２４】
一方、本洗浄装置1において、パチンコ玉の殺菌の最大限に発揮するためには、光源は２５４nmに波長ピークをもつものが好ましい。低圧水銀灯は殺菌効果の面からも好ましい。
【００２５】
光源101Aは、前記波長域の紫外線を、２００mW・sec/cm２以上、好ましくは４５０mW・sec /cm２以上の露光量で放出するものである。
【００２６】
図2のAA矢視断面図に示すように、第１チェーンベルト102Aの受皿105の先端と第１光源101Aとの間には、パチンコ玉の揚送と紫外線照射を確保するためのスリット115が設けられる。スリットの間隔は、パチンコ玉の径よりも狭く、かつ、光源のからの紫外線の侵入を妨げないように設定される。スリットは、図２のような格子状でもよく、あるいは網目状でもよい。
【００２７】
光源101Aから発生した紫外線は、大気中に容易に吸収されるので、光源101Aと搬送途中のパチンコ玉2との距離は、近いほど有利である。具体的には、５０ｍｍ以下が好ましく、特に好ましくは５〜２０ｍｍである。
【００２８】
パチンコ玉2が揚送塔入口112Aから第１チェーンベルトの受皿115に導入されると、チェーンの上方駆動によって揚送される。このとき、揚送途中のパチンコ2玉は、光源101Aからの紫外線を受け、パチンコ玉表面の有機物は酸化分解、揮散する。
【００２９】
一つのパチンコ玉への紫外線照射時間は、必要な紫外線露光量に応じて決められる。具体的には、通常、一回の照射時間が１５秒以上でよく、好ましくは３０秒以上であり、さらに好ましくは３分以上であり、特に好ましくは５分以上である。
【００３０】
なお、パチンコ玉2は補給経路内を再循環するので、パチンコ玉を光源で一度に洗浄する必要はない。パチンコ玉の洗浄を、数回の再循環によって達成する場合には、上記の時間よりも短くてもよい。また、パチンコ玉は、本発明の清浄装置を何度も循環する間に清浄になる。したがって、本装置は、パチンコ遊技場の既存のパチンコ玉補給装置内に組み込まれ、長期間運転されることによって、その効果を最大限に発揮する。
【００３１】
紫外線の照射は、連続的でも間歇的でもよい。パチンコ玉の汚れがひどいときには紫外線を連続照射し、汚れが減じてきたら間歇運転に切り替えることが、エネルギー消費、ランプの長寿命化の点で好ましい。その場合、ランプの点滅による劣化を防止するために、ランプを一度に入り切りするよりは、複数のランプを用意して、交互に使用することが好ましい。
【００３２】
研磨機構200は、図3の平面図に示すように前記紫外線照射機構100Aのパチンコ玉揚送塔出口114Aと連通し、該紫外線照射機構に隣接する落下塔201（図１）からなり、該落下塔内壁にパチンコ玉の自由落下の障害となる下方に傾斜した複数の突起片204が千鳥状に付設されている。
【００３３】
第１の紫外線照射機構のパチンコ玉揚送出口114Aから出たパチンコ玉2は、図3の平面図に示すように、落下塔入口202に進入して、そのまま落下塔内を自由落下する。自由落下する際に、内壁に設けた剛体からなる突起片204に衝突し、さらにパチンコ玉同士でランダムな衝突を繰り返す。これらの衝突によって、パチンコ玉2に付着した比較的大きな有機物や無機物が剥離される。
【００３４】
自由落下したパチンコ玉は、落下塔出口203から出て、上記研磨機構に隣接する第２の紫外線照射機構100Bの揚送塔入口112Bに受け渡される。第２の紫外線照射機構100Bは、下側ギア104Bと上側ギア103Bとの間に巻装されて循環駆動する第２のチェーンベルト102Bと、このチェーンベルトに対向するように立設された第２の光源101Bとを備えた揚送塔111Bからなる。その詳細な構造は、第１の紫外線照射機構100Aと同様である。
【００３５】
パチンコ玉が揚送塔111Bの第２チェーンベルト102Bの受皿105に導入されると、チェーンが上方に駆動されることにより、パチンコ玉2は揚送される。このとき、揚送途中のパチンコ玉は、第２の光源101Bからの紫外線を受けて、パチンコ玉表面の有機物はさらに一層酸化分解、揮散する。第２の紫外線照射機構100Bのパチンコ玉揚送部出口114Bを出たパチンコ玉は、図３に示すように、搬出樋106を通って本洗浄装置の外へ払い出される。
【００３６】
本実施態様では、第１、第２の紫外線照射機構と研磨機構200とからなるが、さらに洗浄能力を高めるために、紫外線照射機構および研磨機構の対を追加してもよい。図４に、紫外線照射機構100Cおよび研磨200Bを一対追加した実施態様を示す。
【００３７】
図1に戻って、前記研磨機構200の下部には、集塵機構300が付設されている。集塵機構300は、研磨機構によって物理的に除去された大きな異物を常時または間歇的に回収し、これらの異物がパチンコ玉表面に再付着して、循環供給装置の補給タンク405に揚送されて汚れが拡散してしまうのを防ぐ。集塵機構300は、汚れが光源に付着してランプの照射効率が悪化させることを抑止する点でも必要である。
【００３８】
図１中の集塵機構300は、吸引ファンおよび集塵フィルタからなる。研磨機構と集塵フィルタとの間に配管（ダクト）を介して、集塵機構を装置外へ設置してもよい。
【００３９】
集塵フィルタは、異物やゴミが溜まれば交換可能である。本洗浄装置は、光源の出力が低下するか、または集塵フィルタが目詰まりするまで、長期間にわたってメンテナンスフリーでのランニングが可能である。
【００４０】
図５は、本発明の第２の実施態様示す洗浄装置の斜視図である。図６は、そのAA矢視断面図である。第２の実施態様は、第１、第２および第３の紫外線照射機構100A,B,Cと、第１および第２の紫外線照射機構に隣接する第１および第２の研磨機構200A,Bとからなる。複数の紫外線照射機構と研磨機構に連続性をもたせるために、１の紫外線照射機構の揚送塔出口114が研磨機構の落下塔入口202と連通し、落下塔出口203が隣の紫外線照射機構の揚送塔入口112と連通するように構成されている。
【００４１】
図５において、第１の紫外線照射機構100Aは、底部にスクリューコンベア110Aが装着された第１の揚送塔111Aと、第１揚送塔の１側面に対向するように立設された第１の光源101Aとを備え、スクリューコンベアに揚送塔入口112Aが設けられている。スクリューは、螺旋状の羽根116をパチンコ玉2が進入できる間隔で備え、図示しないモータによって駆動される。
【００４２】
図２において第１揚送塔111Aの第１光源側は、パチンコ玉揚送と紫外線照射が確保するためにスリット状に加工されている。スリット115の間隔は、パチンコ玉の径よりも狭く、かつ、光源のからの紫外線の侵入を妨げないように設定される。スリットは、図２のような格子状でもよく、あるいは網目状でもよい。
【００４３】
島から循環してくるパチンコ玉2が揚送塔入口112Aから第１スクリューに導入されると、回転する羽根116がパチンコ玉を挟んでパチンコ玉揚送塔内へ押し上げる。このとき、揚送途中のパチンコ玉2は、光源101Aからの紫外線を受け、パチンコ玉表面の有機物は酸化分解、揮散する。光源の仕様、照射条件などは第１の実施態様と同様である。
【００４４】
第１研磨機構200Aは、第１実施態様と同様な構造からなる。すなわち、研磨機構200Aは、該紫外線照射機構100Aに隣接する落下塔201Aからなり、落下塔入口２０２Aは前記第1揚送塔出口114Aと連通する。該落下塔内壁には、パチンコ玉の自由落下の障害となる突起片204が下方に傾斜して千鳥状に付設されている。
【００４５】
第１紫外線照射機構の揚送塔出口114Aから出たパチンコ玉2は、落下塔入口202Aに進入して、そのまま落下塔内を自由落下する。自由落下する際に、落下塔内壁に設けた剛体からなる突起片204に衝突し、さらにパチンコ玉同士でランダムな衝突を繰り返す。これらの衝突によって、パチンコ玉に付着した比較的大きな有機物や無機物が剥離される。
【００４６】
自由落下したパチンコ玉2は、落下塔出口203Aから研磨機構200Aに隣接する第２の紫外線照射機構100Bの揚送塔入口112Bに受け渡される。第２の紫外線照射機構の構造は、第１の紫外線照射機構と同様であり、底部にスクリューコンベア110Bが装着された第２の揚送塔111Bと、第2揚送塔の１側面に対向するように立設された第2の光源101Bとを備え、スクリューコンベアに揚送塔入口112Bが設けられている。パチンコ玉2が揚送塔入口112Bから第２スクリューに導入されると、スクリューの回転とともにパチンコ玉2は、揚送塔111B内を揚送される。このとき、揚送途中のパチンコ玉は、第１光源101Aおよび第２光源101Bからの紫外線を受け、パチンコ玉表面の有機物はさらに一層、酸化分解、揮散する。
【００４７】
第２の紫外線照射機構の揚送塔出口114Bを出たパチンコ玉2は、第２の研磨機構200Bの落下塔入口202Bに進入する。第２の研磨機構200Bは、第１の研磨機構200Aと同様に、該紫外線照射機構100Bに隣接する落下塔201Bからなり、前記第２揚送塔出口114Bと連通し、落下塔内壁には、パチンコ玉の自由落下の障害となる突起片204が下方に傾斜して千鳥状に付設されている。パチンコ玉2は、第2落下塔入口202Bから進入し、そのまま空洞内を自由落下する。第１の研磨機構と同様にして、パチンコ玉に付着した比較的大きな有機物や無機物が剥離される。
【００４８】
自由落下したパチンコ玉2は、落下塔出口203Bから第２研磨機構に隣接する第３の紫外線照射機構のパチンコ玉揚送塔入口112Cに受け渡される。第３の紫外線照射機構の構造は、第１および第２の紫外線照射機構と同様であるので省略する。揚送途中のパチンコ玉は、第２光源101Bからの紫外線を受け、パチンコ玉表面の有機物は、さらに一層酸化分解、揮散する。
【００４９】
第３の紫外線照射機構の揚送塔出口114Cを出たパチンコ玉は、そのまま搬出樋106を通って装置外に払い出される。
【００５０】
上記第２の実施態様は、３個の紫外線照射機構と２個の研磨機構とからなるが、一対の紫外線照射機構と研磨機構を削除することも、さらに付加することも任意である。
【００５１】
図５では、第1研磨機構200Aと第２研磨機構200Bとの下部空間に集塵機構300が付設されている。なお、集塵機構300を、第１、第２研磨機構のいずれか一方の外面に設置して、集塵部分にフードを設けてフードの端末から第１、第２研磨機構の下部を集塵するようにしてもよい。集塵機構300は、第１実施態様と同様である。また、本実施態様の好適な設置場所も、第１実施態様と同様に、パチンコ玉循環供給装置の楊送装置内が好適である。
【００５２】
なお、この実施態様では、紫外線照射機構自体が、物理的な研磨機能を有する。スクリュー搬送途中のパチンコ玉同士は、互いに活発に接触し合い、それによってパチンコ玉２に付着した大きな汚れが剥離されるためである。したがって、スクリュー搬送ユニットを具備する紫外線照射機構のみからなる洗浄装置も、本発明の範囲に属する。紫外線照射機構内に研磨機構を有することは、以下の理由からも有利である。まず、研磨機構がパチンコ玉の活発な転動を促すため、パチンコ玉への紫外線照射効率が改善される。一方、研磨の際に紫外線がパチンコ玉に照射されると、大きな汚れのパチンコ玉への付着力が減退するので、パチンコ玉から大きな汚れを物理的に研磨する力が小さくてすむ。このように紫外線照射機構と研磨機構とが協働し、汚れの総合的な除去効率が高まる。
【００５３】
本洗浄装置の設置位置は、図７に示すように、パチンコ玉循環供給装置400の揚送装置内が好ましい。現状の研磨方式において、布研磨、ポリ研磨の研磨素材そのものが、パチンコ玉表面に付着し、その有機薄膜が汚れ成分を表面に付着させる原因ともなっている。布研磨、ポリ研磨などの既存方式の洗浄装置を本装置に代替した場合には、プラスチック系汚れ成分を作る機会が著しく低減される。しかも、従来の洗浄装置での日常的な清掃作業、劣化した研磨布やプラスチック製ビーズ材の定期的交換などの煩雑な作業が要らなくなる。
【産業上の利用可能性】
【００５４】
本発明は、パチンコ遊戯場のパチンコ玉循環供給装置内に組み込まれる既存の洗浄装置の代替として、あるいは、該洗浄装置に併設する補助洗浄装置として使用できる。
【図面の簡単な説明】
【００５５】
【図１】本発明のパチンコ玉洗浄装置の一例を示す側断面図である。
【図２】図１の装置のAA矢視断面図である。
【図３】図１の装置の平面図である。
【図４】図１の装置の変形例を示す断面図である。
【図５】本発明のパチンコ玉洗浄装置の別の実施態様を示す概略分解斜視図である。
【図６】図５の装置のＡＡ矢視断面図である。
【図７】図１の洗浄装置の設置状態を示す概略斜視図である。
【図８】従来技術のパチンコ玉洗浄装置の設置場所を示す概略斜視図である。
【符号の説明】
【００５６】
１  パチンコ玉洗浄装置
２  パチンコ玉
１００  紫外線照射機構
１０１  光源
１０２  チェーンベルト
１０３  上側ギア
１０４  下側ギア
１０５  受皿    
１０６  搬出樋
１１０  スクリューコンベア
１１１  揚送塔
１１２  揚送塔入口
１１４  揚送塔出口
１１５  スリット
１１６  羽根
２００  研磨機構
２０１  落下塔
２０２  落下塔入口
２０３  落下塔出口
２０４  突起片
３００  集塵機構
４００  パチンコ玉循環供給装置
４０１  島
４０２  トヨ
４０３  パチンコ台
４０４  揚送装置
４０５  補給タンク
【図１】
2005080807.tif 000003
【図２】
2005080807.tif 000004
【図３】
2005080807.tif 000005
【図４】
2005080807.tif 000006
【図５】
2005080807.tif 000007
【図６】
2005080807.tif 000008
【図７】
2005080807.tif 000009
【図８】
2005080807.tif 000010